(57)【特許請求の範囲】
【請求項１】
断面コ字形の長尺部材の両端を柱嵌合用筒体に固定して枕木を形成し、前記コ字部に腕木を回動自在に内装し、該腕木を回転させて、対向する枕木のコ字部に係止することにより枕木を平行に連結してパレットを形成し、該パレットの前記対向する腕木に、ヒンジ機構により高さ調節用枕材を回動自在に連結し、該高さ調節用枕材を回転させて前記腕木の上に載せることにより、フオ−クを挿入する隙間が形成されるようにしたことを特徴とする多目的パレット。
【請求項２】
前記パレットを対向させ、連結部材によって分離可能に嵌合連結してなり、該連結部材の中間には、柱嵌合用筒体を設けてなる請求項１に記載のパレット。
【請求項３】
前記腕木の先端に切り欠きを形成し、該切り欠きを前記枕木のコ字部に固定したピンに嵌合させ、前記腕木の長さ方向に進退自在に支持したバ−を、前記切り欠きを覆うように移動させて、前記腕木を前記枕木にロック固定してなる請求項１に記載のパレット。
【請求項４】
前記枕木と前記腕木とを、折曲可能に形成したリンク部材で連結し、該リンク部材は、前記腕木を前記長尺部材のコ字部に収容するときは、重合状態となり、対向する長尺部材に固定するときは直線状態となるように形成してなる請求項１に記載のパレット。
【請求項５】
前記リンク部材は、２枚のリンクをピンで回動自在に連結し、該ピンと上方のリンクとの間にスプリングを介装し、連結部に近接して筒体を嵌合させ、該筒体底面を前記下方のリンクに固定し、前記上方のリンクが屈曲して当接する筒体の一側部には、上方のリンクが出入する開口を形成し、該開口下端には係止壁を立設し、該係止壁は、前記連結部との対向部が下降スロ−プに形成してなる請求項４に記載のパレット。
【請求項６】
前記連結部材に、ア−ムを回動自在に固定し、該ア−ム先端には、案内用切り欠きを形成した板体と、該板体の切り欠きの後方に下方に向けて固定した下端に係止部を有するロッドと、該ロッドに後部を嵌挿され、前部に案内用下降スロ−プを形成したロックプレ−トと、前記ロッドと前記ロックプレ−トとに遊嵌させたコイルスプリングと、前記ロックプレ−ト中央部に形成した開口とを設けてなり、前記ア−ムを回転させて前記腕木に固定したピンが、前記板体の切り欠きに案内され、前記ロックプレ−トのスロ−プ上を移動すると、ロックプレ−トは前記コイルスプリングの力に抗して下降し、前記ピンが前記開口に嵌合すると、前記ロックプレ−トは、前記コイルスプリングの力によって、元の位置に復帰するように構成したことを特徴とする請求項２に記載のパレット。
【発明の詳細な説明】
【０００１】
【発明の属する技術分野】
この発明は、枕木として使用することも複数連結して所望の大きさのパレットに形成することもでき、しかもフオ−クでパレット上に荷物を積み降ろしすることができる多目的パレットに関するものである。
【０００２】
【従来の技術】
従来からフオ−クリフト等で運んできた荷物を載せるために枕木が使用されている。この枕木は、単に角材を所定の長さに切断しただけのものであるが、最近は角材が高価になって来ているので、簡単なもののわりにはコスト高となり、簡単に使い捨てにするわけにはいかないので、外観的に見苦しくなってもそのまま使用しているのが現状である。
【０００３】
一方、荷物を車で所望の場所に運ぶのにパレットが使用されている。この種パレットは、荷物の大きさに応じて種々の大きさのものが使用されているが、積荷をパレットと共に置き去りにし、後日パレットを回収する場合、パレットが場所を取り、１台の車で多くのパレットを回収することができないと共に、大きいパレットの場合取り扱いが厄介な問題があった。
【０００４】
このような問題点を解決するため、本出願人は、枕木として使用することも、パレットとして使用することもできるパレットを開発し、先に実用新案登録出願した。
【０００５】
【発明が解決しようとする課題】
しかしながら、上記パレットは、荷物を載せてフオ−クリフトのフオ−クを差し込むのに十分な隙間が形成されない問題があった。特に長物を載せる場合、枕木の方向に連結したパレットに形成すると、フオ−クは枕木の方向から挿入するので、枕木を相対的に低くしなければならないが、これは上記パレットでは非常に困難なことであった。
【０００６】
また、前記従来のパレットは、枕木に腕木を係止させているだけであったので、作業中枕木と腕木との係止が外れる場合がある問題があった。
更に、前記従来のパレットは、複数個のパレットを連結した場合、パレットが強固に連結できない問題があった。
【０００７】
この発明のうち請求項１に記載の発明は、パレットに荷物を載せて、フオ−クリフトのフオ−クを差し込む場合に、十分な隙間が形成されるパレットを提供することを目的とする。
また、請求項３に記載の発明は、上記請求項１に記載の発明の目的に加えて、枕木と腕木とを容易に強固にロックできるパレットを提供することを目的とする。
【０００８】
また、請求項５に記載の発明は、上記請求項１に記載の発明の目的に加えて、枕木と腕木とを連結するリンク部材を容易に強固にロックできるパレットを提供することを目的とする。
更に、請求項６に記載の発明は、上記請求項１に記載の発明の目的に加えて、複数個の連結したパレットを、強固に連結ロックできるパレットを提供することを目的とする。
【０００９】
【課題を解決するための手段】
上記目的に沿う本発明のうち請求項１に記載の発明は、断面コ字形の長尺部材の両端を柱嵌合用筒体に固定して枕木を形成し、前記コ字部に腕木を回動自在に内装し、該腕木を回転させて、対向する枕木のコ字部に係止することにより枕木を平行に連結してパレットを形成し、該パレットの前記対向する腕木に、ヒンジ機構により高さ調節用枕材を回動自在に連結し、該高さ調節用枕材を回転させて前記腕木の上に載せることにより、フオ−クを挿入する隙間が形成されるようにしたことを特徴とする。
【００１０】
また、請求項３に記載の発明は、腕木の先端に切り欠きを形成し、該切り欠きを前記枕木のコ字部に固定したピンに嵌合させ、腕木の長さ方向に進退自在に支持したロッドを、前記切り欠きを覆うように移動させて、前記腕木を前記枕木にロック固定したことを特徴とする。
【００１１】
また、請求項５に記載の発明は、リンク部材を、２枚のリンクをピンで回動自在に連結して形成し、該ピンと上方のリンクとの間にスプリングを介装し、連結部に近接して筒体を嵌合させ、該筒体底面を前記下方のリンクに固定し、前記上方のリンクが屈曲して当接する筒体の一側部には、上方のリンクが出入する開口を形成し、該開口下端には係止壁を立設し、該係止壁は、前記連結部との対向部が下降スロ−プに形成したことを特徴とする。
【００１２】
更に、請求項６に記載の発明は、前記連結部材に、ア−ムを回動自在に固定し、該ア−ム先端には、案内用切り欠きを形成した板体と、該板体の切り欠きの後方に下方に向けて固定した下端に係止部を有するロッドと、該ロッドに後部を嵌挿され、前部に案内用下降スロ−プを形成したロックプレ−トと、前記ロッド係止部と前記ロックプレ−トとに遊嵌させたコイルスプリングと、前記ロックプレ−ト中央部に形成した開口とを設けてなり、前記ア−ムを回転させて、前記腕木に固定したピンが、前記板体の切り欠きに案内され、前記ロックプレ−ト上を移動すると、ロックプレ−トは前記コイルスプリングの力に抗して下降し、前記ピンが前記開口に嵌合すると、前記ロックプレ−トは、前記コイルスプリングの力によって、元の位置に復帰するように構成したことを特徴とする。
【００１３】
【実施例】
次に、本発明の実施例を図面に基づいて説明する。図１は、本発明の実施例を示す平面図である。
図１に示すように、両端部を柱嵌合用角筒体１ａ，１ｂに固定した断面コ字形の溝形鋼（枕木）２ａと、両端部を柱嵌合用角筒体１ｃ，１ｄに固定した断面コ字形の溝形鋼（枕木）２ｂとが、コ字部が内方を向くように対向位置している。この状態で、枕木として使用することができる。
溝形鋼２ａ，２ｂのコ字部には、腕木３ａ，３ｂが、一端でボルト２０に回動自在に軸止されている。
【００１４】
腕木３ａ，３ｂには、図１及び図２に示すように、細長い四角筒形の枕材５ａ，５ｂが蝶番６によって、回動し得るように連結されている。図２に示すように、枕材５ｂ（５ａ）を１８０°回転させて、腕木３ｂ（３ａ）の上に載せることによって、枕材５ｂ（５ａ）の上に荷物を載せた場合に、荷物と溝形鋼２ａ（２ｂ）との間に空間が形成されるので、該空間に、フオ−クリフトのフオ−クを挿入して、荷物を容易にフオ−クで持ち上げることができる。
【００１５】
腕木３ａ，３ｂの先端部には、嵌合用切り欠き４ａ，４ｂが形成され、腕木を９０°旋回させて、同嵌合用切り欠き４ａ，４ｂを対向する溝形鋼のコ字部に固定したボルト６に嵌合することにより、両腕木を係止固定し得るように構成している。
【００１６】
図３に示すように、腕木３ｂの嵌合用切り欠き４ｂ側には、バ−７を進退自在に嵌合支持する案内部材８，８が固定され、腕木の先端の嵌合用切り欠き４ｂを枕木のコ字部に固定したボルト６に嵌合させた後、バ−７を前記嵌合用切り欠き４ｂを覆うように移動させて、腕木３ｂをロック固定し得るようになっている。尚、バ−７には、バ−の抜けを防止するため、後端には屈曲したストッパ−９が、先端には太く形成されたストッパ−９′が連設されている。
【００１７】
腕木３ｂのコ字部底面には、図１及び図４に示すように、リンク部材１０がボルト１１によって回動自在に固定され、同リンク部材１０の他端は、溝形鋼２ｂのコ字部底面に、ボルト１２によって回動自在に固定されている。リンク部材１０は、２枚のリンク１０ａ，１０ｂをボルト１３により回動可能に固定し、上方のリンク１０ｂとボルト１３頭部との間には、コイルスプリング１８が介装されている。
【００１８】
図４に示すように、２枚のリンク１０ａ，１０ｂの連結部に近接して筒体１４が嵌合され、該筒体底面は、前記下方のリンク部材１０ａに固定されている。
上方のリンク１０ｂが屈曲して当接する筒体の一側部には、リンク１０ｂが出入する開口１５が形成され、該開口１５下端には係止壁１６が立設し、同係止壁１６は、連結部との対向部が下降スロ−プ１７に形成されている。
【００１９】
上記のように構成されているので、筒体１４を下方に押すと（足で踏めば良い）、リンク１０ｂはスプリング１８の力に抗して上昇し、筒体１４の開口１５から出て、折曲して重合状態となり、腕木３ｂを対向する溝形鋼２ｂのコ字部に固定する場合は直線状となり、腕木３ｂは溝形鋼２ｂのコ字部に収容される。
腕木３ｂを引き出す場合は、そのまま腕木３ｂを引っ張れば良く、リンク１０ｂは、筒体のスロ−プ１７を上昇して、筒体１４内に収容され、直線状態でロックされる。
【００２０】
上記のように構成されたパレットを、図１に示すように、継手１９ａ，１９ｂによって、柱嵌合用筒体に連結した角筒体に、着脱自在に嵌合連結している。このように連結すると、長物を運搬するパレットとして使用するのに便利である。図７に示すように、継手１９ａ，１９ｂの下方には、角筒体３３が連設され、該角筒体３３は、柱嵌合用筒体下端の脚台３４上に載置されている。
【００２１】
継手１９ａ，１９ｂは、中央に柱嵌合用筒体１ｅ，１ｅ′が固定され、断面が矩形に形成されている。
継手１９ａ，１９ｂと角筒体３３との間には、それぞれア−ム２１ａ，２１ｂが回動自在に固定され、ア−ム先端を、腕木３ａ，３ｂに固定したピン２９に固定している。
【００２２】
ア−ム２１ａ，２１ｂは、図５及び図６に示すように、先端に案内用切り欠き２２を形成した板体２３と、同板体２３の切り欠き２２の後方に下方に向けて固定した下端に頭部を有するボルト２４と、同ボルト２４に後部を嵌挿され、前部に案内用下降スロ−プ２５を形成したロックプレ−ト２６と、前記ボルト２４頭部とロックプレ−ト２６との間に遊嵌させたコイルスプリング２７と、前記ロックプレ−ト２６中央部に形成した開口２８とから構成されている。
【００２３】
上記のように構成されているので、ア−ム２１ａ，２１ｂを回転させると、腕木に固定したピン２９が、前記板体２３の切り欠き２２に案内され、前記ロックプレ−ト２６のスロ−プ２５上を移動すると、ロックプレ−ト２６はコイルスプリング２７の力に抗して下降し、前記ピン２９が前記開口２８に嵌合すると、ロックプレ−ト２６は、コイルスプリング２７の力によって、元の位置に復帰し、ア−ムは腕木にロック固定される。
連結部材を取り外す時は、ロックプレ−ト２６のスロ−プ２５を下方に押して、ア−ム２１ａ，２１ｂを元の位置まで回転させれば良い。
【００２４】
上記のように構成されたパレットには、図７に示すように、柱嵌合用筒体に、柱３０を嵌合固定し、隣接する柱３０間は、柱に固定した取り付け金具３１にブレ−シングを×字状に連結している。
図１に示すように、パレットを２個連結して使用する場合は、柱３０は、柱嵌合用筒体１ａ，１ｃ，１ｅ，１ｅ′１ｂ′及び１ｄ′に立設し、一方のパレットを使用する場合は、柱嵌合用筒体１ａ，１ｂ，１ｃ，１ｄまたは１ａ′，１ｂ′，１ｃ′，１ｄ′に立設すると良い。
【００２５】
【発明の効果】
以上述べたように、本発明のうち請求項１に記載の発明は、枕木としても種々の大きさのパレットとしても使用することができると共に、パレットに載せた荷物の下にフオ−クを差し込むことができるので、フオ−クで荷物をパレットに載せたり降ろしたりすることが容易にできる。
【００２６】
請求項３に記載の発明は、上記請求項１に記載の発明の効果に加えて、枕木と腕木とを、着脱が容易で、しかも強固に固定することを可能としたものである。請求項５に記載の発明は、上記請求項１に記載の発明の効果に加えて、枕木と腕木とを連結するリンク部材を、着脱が容易で、しかも強固にロック固定することができるものである。
請求項６に記載の発明は、上記請求項１に記載の発明の効果に加えて、パレットを複数連結する場合に、強固に連結ロックできることを可能としたものである。
【００２７】
【図面の簡単な説明】
【図１】本発明の実施例を示す平面図である。
【図２】図２のII−II断面図である。
【図３】腕木を対向する枕木に係止ロックする状態を示す上面図である。
【図４】図１のIV−IV断面図である。
【図５】図６のV−V断面図である。
【図６】ア−ムを腕木に固定する状態を示す上面図である。
【図７】本発明の実施例を示す側面図である。
【符号の説明】
１ａ，１ｂ，１ｃ，１ｄ，１ａ′，１ｂ′，１ｃ′，１ｄ′
柱嵌合用筒体
２ａ，２ｂ，２ａ′，２ｂ′      断面コ字形の溝形鋼（枕木）
３ａ，３ｂ，３ａ′，３ｂ′      腕木
５ａ，５ｂ                      高さ調節用枕材
１０                            リンク部材
１９ａ，１９ｂ                  パレットを連結する連結部材（継手）
【図１】
0003827027.tif 000002
【図２】
0003827027.tif 000003
【図３】
0003827027.tif 000004
【図４】
0003827027.tif 000005
【図５】
0003827027.tif 000006
【図６】
0003827027.tif 000007
【図７】
0003827027.tif 000008